(57)【特許請求の範囲】
【請求項１】
対物レンズが装着されたレンズホルダが変位可能に弾性的に支持された対物レンズ駆動装置であって、
前記レンズホルダを底面が開放された箱状に形成させ、該レンズホルダの側壁の内側に、縦方向に溝部を形成させ、該溝部により、該レンズホルダの該側壁の分割振動モード特性を変化させたことを特徴とする対物レンズ駆動装置。
【請求項２】
前記溝部を前記レンズホルダの少なくともトラッキング方向に対して直交位置にある２辺の各前記側壁にそれぞれ形成させたことを特徴とする請求項１記載の対物レンズ駆動装置。
【請求項３】
前記側壁における前記溝部により分割される各領域の長さを各該側壁毎に相違させたことを特徴とする請求項２記載の対物レンズ駆動装置。
【請求項４】
各前記側壁における各領域の長さを整数倍とさせることなく、各該領域の長さを各該側壁毎に相違させたことを特徴とする請求項３記載の対物レンズ駆動装置。
【請求項５】
前記側壁に形成される前記溝部により分割される各領域の長さをＬ１及びＬ２とし、一方、前記側壁に形成される前記溝部により分割される各領域の長さをＬ３及びＬ４とした場合に、Ｌ１≠Ｌ２≠Ｌ３≠Ｌ４とさせたことを特徴とする請求項２〜４の何れか１項に記載の対物レンズ駆動装置。
【請求項６】
前記レンズホルダは、液晶ポリマーにより成形されたことを特徴とする請求項１〜５の何れか１項に記載の対物レンズ駆動装置。
【発明の詳細な説明】
【０００１】
【発明の属する技術分野】
本発明は、対物レンズが装着されるレンズホルダが変位可能に弾性的に支持された対物レンズ駆動装置に関し、特に、レンズホルダに高次共振対策を施した対物レンズ駆動装置に関する。
【０００２】
【従来の技術】
ディスク等の信号記録媒体に対して光学的に信号の読み取り、あるいは書き込みを行う光学ヘッドにおいては、一般に、対物レンズ駆動装置により対物レンズが装着されるレンズホルダを駆動させて、対物レンズによって収束される光ビームの信号記録媒体に対するフォーカス制御およびトラッキング制御を行うようにされている。
【０００３】
そのため、レンズホルダは、サスペンションワイヤ等の弾性支持部材によってフレームに対して変位可能に弾性的に支持されており、レンズホルダが駆動されて変位されることになるので、レンズホルダの高次共振特性がアクチュエータのフォーカス制御およびトラッキング制御のサーボ特性に直接影響する。
【０００４】
【発明が解決しようとする課題】
ところで、レンズホルダは、駆動コイルが巻回されるボビンの役割も担い、また弾性支持部材の取付部分が形成される等の理由により合成樹脂材料、例えば液晶ポリマーを使用して底面が開放された箱状に成形されることが多い。
【０００５】
このようなレンズホルダを備える対物レンズ駆動装置において、対物レンズを駆動させると、特にトラッキング方向に駆動させると、レンズホルダの構造に起因して、レンズホルダの側壁、特にトラッキング方向に対して直交位置にある側壁が不要振動し、この振動に起因するアクチュエータの高次共振により、トラッキング制御のサーボ特性に悪影響を与える問題があった。
【０００６】
【課題を解決するための手段】
本発明の請求項１に係る対物レンズ駆動装置は、対物レンズが装着されたレンズホルダが変位可能に弾性的に支持された対物レンズ駆動装置であって、前記レンズホルダを底面が開放された箱状に形成させ、該レンズホルダの側壁の内側に、縦方向に溝部を形成させ、該溝部により、振動モードの節が発生される部分を調整し、レンズホルダの側壁の分割振動モード特性を変化させて、アクチュエータの高次共振のピークを低減させている。
【０００７】
【発明の実施の形態】
図１は、本発明に係る対物レンズ駆動装置の一実施の形態を示す斜視図、図２は、図１に示す対物レンズ駆動装置のレンズホルダを底面方向から見た斜視図である。
【０００８】
対物レンズ１は、レンズホルダ２に保持されており、レンズホルダ２の側面全周にフォーカスコイル３が装着され、レンズホルダ２の平行な所定の各側面の両脇にそれぞれトラッキングコイル４が装着されている。
【０００９】
また、レンズホルダ２の対物レンズ１を挟んだ両側には、上下にそれぞれ弾性支持体となるサスペンションワイヤ５の一端が固定される固定部６が突出して形成されている。
【００１０】
４本の各サスペンションワイヤ５の他端は、後述するヨークとして作用する磁気回路部を含むべく磁性材料で形成されるフレーム７の端部７ａに取り付けられる取付板８にそれぞれ固定される。
【００１１】
そのため、各サスペンションワイヤ５は、対物レンズ１を挟んでレンズホルダ２の両側にそれぞれ上下２本が配置されて互いに平行に架設され、これにより、レンズホルダ２は、４本のサスペンションワイヤ５によってフレーム７に変位可能に弾性的に支持される。
【００１２】
一対のマグネット９及び１０は、レンズホルダ２を挟んで同一磁極面（Ｎ極）が対向して配置されている。そして、各マグネット９及び１０のＳ極の磁極面には、それぞれフレ
ーム７と一体に形成される外部ヨーク１１及び１２が付設されており、各マグネット９及び１０のＮ極の磁極面には、それぞれフレーム７と一体に形成される対向ヨーク１３及び１４が、レンズホルダ２に形成される孔１５及び１６内を貫通して対向して配置されている。
【００１３】
マグネット９及び１０から発生される磁束は、フォーカスコイル３及び各トラッキングコイル４の有効領域に作用し、フォーカスコイル３にフォーカスエラー信号を供給することにより、ディスクの信号面に光ビームを合焦させるフォーカス制御が行われるように、レンズホルダ２と共に対物レンズ１が駆動され、各トラッキングコイル４にトラッキングエラー信号を供給することにより、ディスクの信号トラックに光ビームを追従させるトラッキング制御が行われるように、レンズホルダ２と共に対物レンズ１が駆動される。
【００１４】
次に、対物レンズ駆動装置の主要構成について、図２を用いてさらに詳細に説明する。
【００１５】
レンズホルダ２は、底面が開放された矩形の箱状であり、液晶ポリマー材料による成形で、各固定部６と、フォーカスコイル３及び各トラッキングコイル４が装着される各装着部とが、一体的に形成されている。
【００１６】
そして、レンズホルダ２の対物レンズ１が装着される上面裏側には、対物レンズ１が配置されるレンズ孔１７の周囲に補強用リブ１８が形成されている。そのため、レンズホルダ２の上面での不要振動の発生が抑制される。
【００１７】
また、レンズホルダ２の側壁のうち、トラッキング方向に対して直交位置にある２辺の側壁２ａ及び２ｂには、それらの内側にそれぞれ縦方向に溝部１９及び２０が形成されている。この溝部１９及び２０により、それぞれ前記側壁２ａ及び２ｂにおける振動モードの節が発生させる部分が調整される。
【００１８】
そのため、レンズホルダ２の側壁２ａ及び２ｂの分割振動モード特性が変化し、トラッキング方向に駆動させた際に、前記側壁２ａ及び２ｂの不要振動に起因するアクチュエータの高次共振のピークの低減が図られる。
【００１９】
ここで、側壁２ａに形成される溝部１９により分割される各領域の長さＬ１及びＬ２とし、一方、側壁２ｂに形成される溝部２０により分割される各領域の長さＬ３及びＬ４とした場合、Ｌ１≠Ｌ２≠Ｌ３≠Ｌ４とするべく、各側壁２ａ及び２ｂにおいて、溝部１９及び２０により、それぞれ分割される各領域の長さを相違させている。
【００２０】
そのため、側壁２ａ及び２ｂにおける各領域での分割振動周波数が分散され、アクチュエータとしての高次共振のピークが低減される。
【００２１】
さらに、側壁２ａ及び２ｂにおける各領域の長さが整数倍とならないようにして、前記各領域の分割振動周波数の高調波が他の領域の基本波と一致しないようにずらされており、これによっても、アクチュエータとしての高次共振のピークの低減が図られる。
【００２２】
【発明の効果】
以上の如く、請求項１記載の発明によれば、対物レンズが装着されたレンズホルダが変位可能に弾性的に支持された対物レンズ駆動装置であって、レンズホルダを底面が開放された箱状に形成させ、レンズホルダの側壁の内側に縦方向に形成させた溝部により、レンズホルダの側壁の分割振動モード特性を変化させているので、アクチュエータの高次共振のピークを低減させることができる。
【００２３】
また、請求項２記載の発明によれば、溝部をレンズホルダの少なくともトラッキング方向に対して直交位置にある２辺の各側壁にそれぞれ形成させるようにし、これらの側壁は、トラッキング制御により不要振動が発生され易いので、この振動に起因する高次共振を効果的に抑制することができる。
【００２４】
また、請求項３記載の発明によれば、側壁における溝部により分割される各領域の長さを各側壁毎に相違させているので、各領域での分割振動周波数が分散されて高次共振を抑制するのに有利である。
【図面の簡単な説明】
【図１】  本発明に係る対物レンズ駆動装置の一実施の形態を示す斜視図である。
【図２】  図１に示す対物レンズ駆動装置のレンズホルダを底面方向から見た斜視図である。
【符号の説明】
１          対物レンズ
２          レンズホルダ
２ａ，２ｂ  側壁
３          フォーカスコイル
４          トラッキングコイル
５ サスペンションワイヤ
６ 固定部
７ フレーム
７ａ 端部
８ 取付板
９，１０ マグネット
１１，１２ 外部ヨーク
１３，１４ 対向ヨーク
１５，１６ 孔
１７ レンズ孔
１８ リブ
１９，２０  溝部
【図１】
0003857887.tif 000002
【図２】
0003857887.tif 000003